(57)【要約】      （修正有）【課題】台座と宝石との結合による装身具において、宝石の下側領域を台座表面に反映することによる装飾効果を発揮し得るような構成を提供すること。【解決手段】台座２の光沢表面の領域内にて宝石１と結合している装身具であって、宝石１は、最大幅を呈する領域１０の下側領域１２にて順次狭幅となる傾斜状、又は同一幅によって柱状を呈しており、台座２に装着されている支柱３から分岐し、かつ上端側に爪部４１を突設している支持枠４が宝石１の下側領域１２を囲んだ状態にて保持し、前記爪部４１によって宝石１の最大幅を呈する領域１０の上側領域１１を留着するか、又は台座２に宝石１の下端部分１３を嵌入する穴５の内壁と前記下端部分１３とをロウ材６を介して固着しており、かつ前記表面において、乱反射に至らない程度の凹凸を加えることによってくもりを伴う光沢を形成することによって、前記課題を解決している装身具。【選択図】図３
2020130529.tif 000002
【特許請求の範囲】
【請求項１】
台座における表面及び裏面のうち光沢を形成している表面の一部領域と宝石とを結合し、かつ前記表面が宝石の周囲を囲んだ状態を形成している装身具であって、宝石は、最大幅を呈する領域から前記表面に至る下側領域にて順次狭幅となる傾斜状、又は同一幅によって柱状を形成しており、台座の裏面側から表面側に貫通した状態にて台座に装着されている支柱から分岐し、かつ上端側に爪部を内側に突設している支持枠が宝石の前記下側領域を囲んだ状態にて保持すると共に、前記爪部によって宝石の前記最大幅を呈する領域に対する上側領域を留着している装身具。
【請求項２】
台座における表面及び裏面のうち光沢を形成している表面の一部領域と宝石とを結合し、かつ前記表面が宝石の周囲を囲んだ状態を形成している装身具であって、宝石は、最大幅を呈する領域から前記表面に至る下側領域にて順次狭幅となる傾斜状、又は同一幅によって柱状を形成しており、台座に宝石の下端部分を嵌入する穴を設け、当該穴の内壁と前記下端部分とをロウ材を介して相互に固着している装身具。
【請求項３】
台座が、金属、宝石、プラスチックの何れかを素材としていることを特徴とする請求項１、２の何れか一項に記載の装身具。
【請求項４】
台座の宝石を囲む表面にて規則的な起伏形状による装飾模様を付したことを特徴とする請求項１、２、３の何れか一項に記載の装身具。
【請求項５】
台座が板状であることを特徴とする請求項１、２、３、４の何れか一項に記載の装身具。
【請求項６】
板状の台座の表面が、宝石から離れるにしたがって順次隆起するような湾曲状態を呈することを特徴とする請求項５記載の装身具。
【請求項７】
台座の表面側の形状が、円形、楕円形、多角形、星形、ハート型形、円輪形の何れかであることを特徴とする請求項１、２、３、４、５、６の何れか一項に記載の装身具。
【請求項８】
台座の表面に模様が付されていることを特徴とする請求項１、２、３、４、５、６、７の何れか一項に記載の装身具。
【請求項９】
宝石又はプラスチックを素材とする台座の全領域又は一部領域が透明状態であることを特徴とする請求項１、２、３、４、５、６、７の何れか一項に記載の装身具。
【請求項１０】
支柱が、台座に対し回動自在に結合していることを特徴とする請求項１、３、４、５、６、７、８、９の何れか一項に記載の装身具。
【請求項１１】
支持枠が、下側にて広幅であって、上側にて狭幅であるハート型を形成していることを特徴とする請求項１、３、４、５、６、７、８、９、１０の何れか一項に記載の装身具。
【請求項１２】
宝石の下端部分を固着する穴において、ロウ材流入用の隙間を当該穴の内壁から放射状に突設していることを特徴とする請求項２、３、４、５、６、７、８、９、１０
の何れか一項に記載の装身具。
【発明の詳細な説明】
【技術分野】
【０００１】
本発明は、表面及び裏面を有する台座のうち、光沢を形成している表面の一部領域と宝石とを結合し、かつ前記表面が宝石の周囲を囲んだ状態を形成している装身具を対象としている。
【背景技術】
【０００２】
表面と裏面とを有する台座と結合している宝石は、殆ど大抵の場合、最大幅を呈する領域の上側領域は順次盛り上がっている湾曲形状、又は所定の角度変化を伴う角型形状を呈する一方、当該最大幅を呈する領域から前記表面に至る下側領域は、順次狭幅となる傾斜状又は同一幅による柱状を形成している。
【０００３】
前記下側領域は、上側領域と比肩し得る程度の幅を有している場合が多いにも拘らず、台座と結合している宝石において装飾効果を発揮しているのは、基本的に上側領域であって、下側領域については装飾効果を発揮させるような格別の工夫は殆ど行われていない。
【０００４】
具体的に説明するに、例えば特許文献１においては、容器状を形成し、かつ底部に穴を有する台座５に対し、順次狭幅状態を呈している上側領域及び下側領域を形成している宝石８を、下端部にて前記穴に挿通させた上で、かつ台座５の上端の爪６によって前記宝石８の上側領域にて留着している（第９図及び１頁右下欄〜２頁左上欄の説明文）。
【０００５】
しかしながら、このような構成の場合には、宝石の底面は、宝石の「底面は台座によってほとんど覆われて」おり（２頁左上欄６行〜７行）、宝石８の下側領域は全く装飾効果を発揮していない。
【０００６】
特許文献２においては、円筒状の貴金属を素材とする保持具２による台座と特許文献１の場合と同様の上側領域及び下側領域を形成している宝石１とをロウ材３を介して結合している（１頁の「要約」部分）。
【０００７】
然るに、特許文献２の構成は、宝石１の上側領域から当該宝石１を看視した場合には、下側領域は何ら装飾効果を発揮することができない。
【０００８】
敢えて、最大幅を呈している横方向の側から宝石１を看視したとしても、下側領域の大部分は保持具２によってカバーされ、装飾効果を十分発揮することができない。
【０００９】
特許文献３は、窯業製品本体３０に釉薬層３２を、表面側及び裏面側に塗布すると共に、両面間に介在させている台座と特許文献１の場合と同様の上側領域及び下側領域を形成している宝石１１とを釉薬層３２の介在領域に当該宝石１１を嵌着することによって結合している（１頁の要約部分）。
【００１０】
しかしながら、このような構成の場合には、宝石１１の下側領域は完全に台座内に嵌入しており、装飾効果を全く発揮していない。
【先行技術文献】
【特許文献】
【００１１】
【特許文献１】特開平４−１０２４０３号公報
【特許文献２】特開平６−２５３９１１号公報
【特許文献３】特開２００７−１９７０８９号公報
【発明の概要】
【発明が解決しようとする課題】
【００１２】
本発明は、台座の表面と宝石とを結合している装身具において、宝石の上側領域だけでなく、下側領域においても装飾効果を発揮し得るような構成を提供することを課題としている。
【課題を解決するための手段】
【００１３】
本発明の基本構成は、
（１）台座における表面及び裏面のうち光沢を形成している表面の一部領域と宝石とを結合し、かつ前記表面が宝石の周囲を囲んだ状態を形成している装身具であって、宝石は、最大幅を呈する領域から前記表面に至る下側領域にて順次狭幅となる傾斜状、又は同一幅によって柱状を形成しており、台座の裏面側から表面側に貫通した状態にて台座に装着されている支柱から分岐し、かつ上端側に爪部を内側に突設している支持枠が宝石の前記下側領域を囲んだ状態にて保持すると共に、前記爪部によって宝石の前記最大幅を呈する領域に対する上側領域を留着している装身具、
（２）台座における表面及び裏面のうち光沢を形成している表面の一部領域と宝石とを結合し、かつ前記表面が宝石の周囲を囲んだ状態を形成している装身具であって、宝石は、最大幅を呈する領域から前記表面に至る下側領域にて順次狭幅となる傾斜状、又は同一幅によって柱状を形成しており、台座に宝石の下端部分を嵌入する穴を設け、当該穴の内壁と前記下端部分とをロウ材を介して相互に固着している装身具、
からなる。
【発明の効果】
【００１４】
基本構成（１）及び（２）においては、宝石と結合している台座の光沢表面が宝石の周囲を囲む状態を形成することによって、宝石の下側領域における傾斜状面又は柱状面を反射した光が前記光沢面に再反射し、前記各面の形状及び色彩を反映したことによる模様を形成することを原因として、装身具を上側方向から看視した場合に、下側領域における装飾効果を享受することができる。
【００１５】
尚、上記の「模様」とは、表面形状に現われる線図、色分け、又はぼかしという意匠上の概念に立脚している。
【００１６】
しかも、宝石の最大幅を呈している横方向の側から看視した場合においても、宝石の下側領域の殆ど全てが支持枠によって保持されているか（基本構成（１）の場合）、又は下端部分以外の下側領域が台座における表面の上側に隆起しており（基本構成（２）の場合）、宝石の下側領域の下側領域の大部分のスペースにつき、装飾効果を享受することができる。
【図面の簡単な説明】
【００１７】
【図１】基本構成（１）の実施例１を示しており、支柱の方向に沿った側断面図である。
【図２】基本構成（２）の実施例２を示しており、台座の表面方向に沿った断面図である。
【図３】本発明の基本構成を示しており、（ａ）は、基本構成（１）の側断面図であり、（ｂ）は、基本構成（２）の側断面図である。
【図４】台座の宝石を囲む表面にて規則的な起伏形状による装飾模様を付した実施形態を示しており、（ａ）は、平面図であり、（ｂ）は、側面図である。
【図５】板状の台座を採用した上で、戴置している宝石から離れるにしたがって表面が順次隆起するような湾曲形状を呈する実施形態を示す断面図である。
【図６】支柱が、台座に対し回動自在としている実施形態を示す側断面図であって、（ａ）は、台座の裏面側及び表面側に支柱と嵌合する座金（ワッシャー）を備えた場合を示しており、（ｂ）は、当該座金を備えていない場合を示している。
【発明を実施するための形態】
【００１８】
基本構成（１）及び（２）においては、図３（ａ）、（ｂ）に示すように、台座２において、光沢を形成している表面の一部領域と宝石１とを結合し、かつ前記表面が宝石１の周囲を囲んだ状態を形成している。
【００１９】
光沢表面を有する台座２の素材としては、金属、特に光沢を発揮しやすい貴金属、水晶を含む宝石、更には表面を研磨によって平滑化したプラスチック、特に近年新たな素材として開発されている金属光沢を発揮し得るプラスチックを採用することができる。
【００２０】
このように、光沢を有する表面が宝石１の周囲を囲んでいることによって、宝石１の下側領域１２に反射した光線は、図３（ａ）、（ｂ）に示すように、必然的に台座２と宝石１の周囲を囲む表面に再反射され、宝石１の下側領域１２における傾斜状又は柱状を形成している各面もまた、台座２の光沢表面に反映することによる模様を形成し、使用者は宝石１の上側領域１１だけでなく、下側領域１２についても、上記再反射によって、装飾効果を享受することが可能となることは、前記のとおりである（尚、図３（ａ）は、下側領域１２が柱状の場合を示し、図３（ｂ）は、下側領域１２が傾斜状の場合を示す。）。
【００２１】
尚、表面において形成される光沢とは、表面が乱反射を呈さずに輝いた状態を指しており、鏡面反射のように、全反射光が同一方向を呈する必要はない。
【００２２】
更には、表面に微小な凹凸を加えることによって、輝いた状態に多少のくもり（陰り）が発生したとしても、乱反射状態に至っていない限り、光沢状態であることに変わりはない。
【００２３】
基本構成（１）においては、図３（ａ）に示すように、台座２に対し貫通した状態にて装着されている支柱３から分岐した支持枠４によって、宝石１の下側領域１２を保持すると共に、当該支持枠４の上端側における爪部４１によって、宝石１の上端側を留着することによって、十分安定した保持を実現している。
【００２４】
前記支持枠４は、保持している下側領域１２における宝石１としての色彩及び光沢を部分的に遮蔽しているが、支持枠４自体に特徴ある形状を付することによって、このような遮蔽を介した装飾効果を発揮し得ることは、実施例１において後述する通りである。
【００２５】
基本構成（２）においては、図３（ｂ）に示すように、台座２に設けた穴５に宝石１の下端部分１３を嵌入し、当該穴５の内壁と当該下端部分１３とを、ロウ材６を介して固着している。
【００２６】
このようなロウ材６を介した固着によって、基本構成（２）においては、宝石１の下側領域１２のうち下端部分１３以外の全ての領域が、前記再反射を原因として、台座２の光沢面に反映されることになる。
【００２７】
図４（ａ）、（ｂ）は、基本構成（１）及び（２）において、台座２の宝石１を囲む表面にて規則的な起伏形状による装飾模様２１を付したことを特徴とする実施形態を示す。
【００２８】
このような起伏形状による装飾模様２１を規則的に台座２の表面に付することによって、表面の一部領域と結合している宝石１とのコントラストによって、装飾効果を一層助長することができる。
【００２９】
前記起伏形状による装飾模様２１として、表面によって周囲が囲まれている宝石１以外に、基本構成（１）及び（２）と同一構成である宝石を周囲に配列しても実現することができる。
【００３０】
図３（ａ）、（ｂ）に示すように、台座２としては、板状であって、しかも平面形状を採用する場合が多い。
【００３１】
然るに、板状の台座２は決して、平面形状に限定される訳ではない。
【００３２】
図５に示すように、板状の台座２の表面が、宝石１から離れるにしたがって順次隆起するような湾曲状態を呈することを特徴とする実施形態を採用した場合には、宝石１の下側領域１２からの反射光に対する再反射と、隆起した湾曲面における更なる反射によって、重厚な装飾効果を発揮することができる。
【００３３】
基本構成（１）及び（２）において、台座２の表面方向の形状は円形を採用する場合が多いが、当該形状は決して、円形に限定される訳ではない。
【００３４】
例えば、楕円形、多角形、星形、ハート型形、円輪形の何れをも採用することができる。
【００３５】
基本構成（１）及び（２）においては、台座２の表面に模様、即ち線図、色分け、又はぼかし領域を設けることによって、装飾効果を更に助長することができる。
【００３６】
但し、前記のように表面に付した模様については、光沢面に対する再反射によって形成される模様との調和を配慮することが好ましい。
【００３７】
基本構成（１）及び（２）においては、台座２の素材として、宝石又はプラスチックを選択した上で、台座２の全領域又は一部領域を透明状態とすることができる。
【００３８】
このような透明状態の形成によって、光沢面への再反射による模様が、表面から裏面に至るような立体的な印象を与え、装飾効果を助長することができる。
【００３９】
しかも、一部領域を透明状態とした場合に、透明状態につき所定の形状を選択した場合には、当該形状自体による装飾効果を享受することもできる。
【００４０】
図６（ａ）、（ｂ）は、基本構成（１）において、台座２を貫通している支柱３が、台座２に回動自在に結合していることを特徴とする実施形態を示す。
【００４１】
通常、支柱３は、装着穴２２を貫通した上で、台座２の裏側面にて備えている突設端部３１をレーザー溶接によって、当該裏側面に固着された状態にて装着されている場合が多い。
【００４２】
これに対し、前記実施形態の場合には、支柱３の径を装着穴２２の径よりも稍小さく設定した上で、前記突設端部３１を前記裏側面に対し固着せずに係合することによって、前記回動自在状態を実現している。
【００４３】
図６（ａ）は、台座２の表面側及び裏面側に、支柱３と嵌合する座金（ワッシャー）を備えた場合を示しており、図６（ｂ）は、当該座金を備えていない場合を示す。
【００４４】
このような実施形態においては、台座２に保持された宝石１が、外部からの影響によって回動し、台座２の光沢表面に反映している下側領域１２の形状及び色彩に基づく模様のダイナミックな装飾効果を発揮することができる。
【００４５】
特に、宝石１の下側領域１２が、所定の角錐、又は角錐台形状、又は角柱の場合には、下側領域１２における反射光の方向が変化し、上記ダイナミックな装飾効果を一層助長することができる。
【００４６】
以下、実施例に従って、説明する。
【実施例１】
【００４７】
実施例１は、図１に示すように、基本構成（１）において、支持枠４が、下側にて広幅であって、上側にて狭幅であるハート型であることを特徴としている。
【００４８】
このようなハート側の支持枠４の採用によって、実施例１においては、支持枠４自体による装飾効果、更には、前記ハート型による台座２の面に反映した模様に基づく装飾効果を発揮することが可能となる。
【実施例２】
【００４９】
実施例２は、図２に示すように、基本構成（２）において、宝石１の下端部分１３を固着する穴５において、ロウ材６流入用の隙間５１を当該穴５の内壁から放射状に突設していることを特徴としている。
【００５０】
実施例２の場合には、ロウ材６を予め穴５に流入し、かつ宝石１の下端部分１３が穴５に嵌入した場合には、ロウ材６は、その相当部分が前記放射状に形成されている隙間５１部分に流入する一方、流入せずに穴５内に残留しているロウ材６が、宝石１の下端部分１３と内壁との間に介在することによって、薄肉状態のロウ材６によって穴５と宝石１の下端部分１３との堅固な固着状態を実現することができる。
【産業上の利用可能性】
【００５１】
このように、基本構成（１）及び（２）に立脚している本発明においては、宝石の下側領域を台座の光沢表面に反映させた模様の形成によって、従来技術の場合と異質の装飾効果を発揮しており、その利用範囲は極めて広範である。
【符号の説明】
【００５２】
１    宝石
１０  宝石のうち最大幅を示す領域
１１  宝石の上側領域
１２  宝石の下側領域
１３  宝石の下端部分
２    台座
２１  起伏形状による装飾模様
２２  装着穴
３    支柱
３１  突設端部
４    支持枠
４１  支持枠の爪部
５    台座における穴
５１  放射状に設けた隙間
６    ロウ材
【図１】
2020130529.tif 000003
【図２】
2020130529.tif 000004
【図３】
2020130529.tif 000005
【図４】
2020130529.tif 000006
【図５】
2020130529.tif 000007
【図６】
2020130529.tif 000008
【手続補正書】
【提出日】平成31年3月29日(2019.3.29)
【手続補正１】
【補正対象書類名】特許請求の範囲
【補正対象項目名】請求項１
【補正方法】変更
【補正の内容】
【請求項１】
台座における表面及び裏面のうち光沢を形成している表面の領域内にて宝石と結合している装身具であって、宝石は、最大幅を呈する領域から前記表面に至る下側領域にて順次狭幅となる傾斜状、又は同一幅によって柱状を形成しており、台座の裏面側から表面側に貫通した状態にて台座に装着されている支柱から分岐し、かつ上端側に爪部を内側に突設している支持枠が宝石の前記下側領域を囲んだ状態にて保持すると共に、前記爪部によって宝石の前記最大幅を呈する領域に対する上側領域を留着しており、前記表面において、乱反射に至らない程度の微小な凹凸を加えることによって、くもりを伴う光沢を形成している装身具。
【手続補正２】
【補正対象書類名】特許請求の範囲
【補正対象項目名】請求項２
【補正方法】変更
【補正の内容】
【請求項２】
台座における表面及び裏面のうち光沢を形成している表面の領域内にて宝石と結合している装身具であって、宝石は、最大幅を呈する領域から前記表面に至る下側領域にて順次狭幅となる傾斜状、又は同一幅によって柱状を形成しており、台座に宝石の下端部分を嵌入する穴を設け、当該穴の内壁と前記下端部分とをロウ材を介して相互に固着しており、前記表面において、乱反射に至らない程度の微小な凹凸を加えることによって、くもりを伴う光沢を形成している装身具。
【手続補正３】
【補正対象書類名】明細書
【補正対象項目名】００１３
【補正方法】変更
【補正の内容】
【００１３】
本発明の基本構成は、
（１）台座における表面及び裏面のうち光沢を形成している表面の領域内にて宝石と結合している装身具であって、宝石は、最大幅を呈する領域から前記表面に至る下側領域にて順次狭幅となる傾斜状、又は同一幅によって柱状を形成しており、台座の裏面側から表面側に貫通した状態にて台座に装着されている支柱から分岐し、かつ上端側に爪部を内側に突設している支持枠が宝石の前記下側領域を囲んだ状態にて保持すると共に、前記爪部によって宝石の前記最大幅を呈する領域に対する上側領域を留着しており、前記表面において、乱反射に至らない程度の微小な凹凸を加えることによって、くもりを伴う光沢を形成している装身具、
（２）台座における表面及び裏面のうち光沢を形成している表面の領域内にて宝石と結合している装身具であって、宝石は、最大幅を呈する領域から前記表面に至る下側領域にて順次狭幅となる傾斜状、又は同一幅によって柱状を形成しており、台座に宝石の下端部分を嵌入する穴を設け、当該穴の内壁と前記下端部分とをロウ材を介して相互に固着しており、前記表面において、乱反射に至らない程度の微小な凹凸を加えることによって、くもりを伴う光沢を形成している装身具、
からなる。
【手続補正４】
【補正対象書類名】明細書
【補正対象項目名】００１４
【補正方法】変更
【補正の内容】
【００１４】
基本構成（１）及び（２）においては、宝石と結合している台座の光沢表面の領域内にて宝石と結合しており、その結果、当該光沢表面の幅が宝石の最大幅よりも大きい状態にあり、平面視にて当該表面が宝石の周囲を囲む状態を形成することによって、宝石の下側領域における傾斜状面又は柱状面を反射した光が前記光沢面に再反射し、前記各面の形状及び色彩を反映したことによる模様を形成することを原因として、装身具を上側方向から看視した場合に、下側領域における装飾効果を享受することができる。
しかも、光沢表面に微小な凹凸を加えることによって、輝いた状態に乱反射に至らない程度のくもり（陰り）が発生した光沢状態を享受することもできる。
【手続補正５】
【補正対象書類名】明細書
【補正対象項目名】００１８
【補正方法】変更
【補正の内容】
【００１８】
基本構成（１）及び（２）においては、図３（ａ）、（ｂ）に示すように、台座２において、光沢を形成している表面の領域内にて宝石１と結合しており、その結果前記表面の幅が宝石１の最大幅よりも大きい状態にあり、平面視にて表面が宝石１の周囲を囲んだ状態を形成している。
【手続補正６】
【補正対象書類名】明細書
【補正対象項目名】００２０
【補正方法】変更
【補正の内容】
【００２０】
このように、光沢を有する表面の領域内にて宝石１と結合することによって、宝石１の下側領域１２に反射した光線は、図３（ａ）、（ｂ）に示すように、必然的に台座２と宝石１の周囲を囲む表面に再反射され、宝石１の下側領域１２における傾斜状又は柱状を形成している各面もまた、台座２の光沢表面に反映することによる模様を形成し、使用者は宝石１の上側領域１１だけでなく、下側領域１２についても、上記再反射によって、装飾効果を享受することが可能となることは、前記のとおりである（尚、図３（ａ）は、下側領域１２が柱状の場合を示し、図３（ｂ）は、下側領域１２が傾斜状の場合を示す。）。